(57)【特許請求の範囲】
【請求項１】
化粧料を収納する容器本体と、鏡を装着する蓋体と、容器本体と蓋体とを回動可能に連結する蝶番とからなる鏡付きコンパクト容器において、
容器本体は、化粧料等が収納される収納部と、蝶番の軸心と同軸に連結されるヒンジ部と、収納部とヒンジ部の間に蓋体の前端部が回り込むことを許容する空隙部とを具え、
蓋体は、外側上面に鏡を装着する鏡取付面と、蝶番の第１ガイド部材が摺動可能かつ分離不能に係合する一対の第１ガイド溝とを具え、
蝶番は、軸心回りに容器本体と相対回動可能とされるとともに、第１ガイド溝が軸心と直交するように蓋体と連結されることを特徴とする鏡付きコンパクト容器。
【請求項２】
第１ガイド溝は、鏡取付面の外側に設けられた長孔であり、第１ガイド部材は、長孔の内周面と摺接する根本部と、長孔より突出して長孔よりも幅が広い頭部からなることを特徴とする請求項１記載の鏡付きコンパクト容器。
【請求項３】
蝶番は、容器本体のヒンジ部の水平な座面に接する平面部と、該平面部に続く一方の側に軸心を中心とする１／４円弧面を具えていることを特徴とする請求項１または２記載の鏡付きコンパクト容器。
【請求項４】
容器本体のヒンジ部と反対側で収納部を画成する前壁には、蓋体前端部の閉め切り突条が嵌入する閉め切り凹溝を設けたことを特徴とする請求項１〜３のいずれかに記載の鏡付きコンパクト容器。
【請求項５】
蓋体の両側面の下部に第１ガイド溝と平行方向に延びる突条を有する第２ガイド部材を設け、容器本体の収納部の両側部を画成する側壁には、第２ガイド部材の突条が摺動可能かつ分離不能に係合する第２ガイド溝を設けたことを特徴とする請求項１〜４のいずれかに記載の鏡付きコンパクト容器。
【発明の詳細な説明】
【技術分野】
【０００１】
本発明は、ファンデ−ションやアイカラー等の化粧料、パフや筆等の化粧道具を収納した鏡付きコンパクト容器、とくに鏡を蓋体の外側上部に装着した鏡付きコンパクト容器に関するものである。
【背景技術】
【０００２】
多くの化粧用コンパクト容器では、蓋体の内側に鏡が装着され、蓋体を開けて内側の鏡を見ながら化粧をするようになっている。
そのため、蓋体は、容器本体にピンなどの軸部材で枢着固定され、当該軸回りに回動して開閉されるものがよく知られている（例えば、特許文献１参照）。
【先行技術文献】
【特許文献】
【０００３】
【特許文献１】特開２００４−３３３０２号公報
【発明の概要】
【発明が解決しようとする課題】
【０００４】
上記特許文献１記載の鏡付きコンパクト容器は、裏側に鏡を装着した蓋体が、ピンにより容器本体に枢着されて開閉可能とされ、容器本体の第１フックが蓋体の第２フックに係合して閉蓋状態を保持するようになっている。
【０００５】
しかしながら、上記特許文献１記載のコンパクト容器では、鏡が蓋体の裏側に装着されているため、蓋体を開けない限り鏡を使うことはできず、化粧をチェックしたりするときなど、手軽に使用することができなかった。
また、鏡を見ようとして蓋体を開けるとき、フックの係合を解除して蓋体を上に押し開かなければならないため、フックを解除したときの衝撃で容器が上下に振れてパフや筆などの化粧道具が落ちたり、コンパクト容器が傾斜した状態で不用意に蓋体を開けたりすると、化粧料や化粧道具がずれたり、落ちたりするという問題があった。
【０００６】
本発明は、上記問題を解決することを課題とし、収納されている化粧料や化粧道具を心配することなく、蓋体を閉めた状態のまま手鏡のように好きな角度で鏡を見ることができるとともに、上下方向に衝撃を与えることなく蓋体を開閉することができ、しかも蓋体を開けて鏡を見ながら化粧しやすいように、蓋体を回動して容器本体と角度をつけて鏡を立てて使用できる鏡付きコンパクト容器を提供することを目的とする。
【課題を解決するための手段】
【０００７】
本発明は、上記の課題を解決するため、鏡付きコンパクト容器として、化粧料を収納する容器本体と、鏡を装着する蓋体と、容器本体と蓋体とを回動可能に連結する蝶番とからなる鏡付きコンパクト容器において、容器本体は、化粧料等が収納される収納部と、蝶番の軸心と同軸に連結されるヒンジ部と、収納部とヒンジ部の間に蓋体の前端部が回り込むことを許容する空隙部とを具え、蓋体は、外側上面に鏡を装着する鏡取付面と、蝶番の第１ガイド部材が摺動可能かつ分離不能に係合する一対の第１ガイド溝とを具え、蝶番は、軸心回りに容器本体と相対回動可能とされるとともに、第１ガイド溝が軸心と直交するように蓋体と連結されることを特徴とする構成を採用する。
【０００８】
本発明の鏡付きコンパクト容器の具体的実施形態として、第１ガイド溝は、鏡取付面の外側に設けられた長孔であり、第１ガイド部材は、長孔の内周面と摺接する根本部と、長孔より突出して長孔よりも幅が広い頭部からなることを特徴とする構成、また、蝶番は、容器本体のヒンジ部の水平な座面に接する平面部と、該平面部に続く一方の側に軸心を中心とする１／４円弧面を具えていることを特徴とする構成を採用する。
【０００９】
本発明の鏡付きコンパクト容器の別の実施形態として、容器本体のヒンジ部と反対側で収納部を画成する前壁には、蓋体前端部の閉め切り突条が嵌入する閉め切り凹溝を設けたことを特徴とする構成、また、蓋体の両側面の下部に第１ガイド溝と平行方向に延びる突条を有する第２ガイド部材を設け、容器本体の収納部の両側部を画成する側壁には、第２ガイド部材の突条が摺動可能かつ分離不能に係合する第２ガイド溝を設けたことを特徴とする構成を採用する。
【発明の効果】
【００１０】
本発明の鏡付きコンパクト容器は、蓋体の外側上面に鏡を装着したから、使用するたびに蓋体を開けなくとも鏡を使用することができるので、パフや筆等を落としたりすることがなく、手鏡がわりにいつでも好きな角度で使用できる。
また、容器本体と蓋体は蝶番を介してスライド可能に連結しているので、蓋体を開けるときは蓋体に水平方向の力を加えることになり、コンパクト容器が水平位置に保たれるとともに、蓋体を上方に開ける従来のコンパクト容器のように開蓋の衝撃で容器本体が上下に振れることがないから、パフや筆等がずれたり落ちたりすることを防ぐことができる。
さらに、蓋体をスライドさせて蓋体の前端部が蝶番側に移動し、化粧料等が取り出せるようになった開蓋状態では、蓋体の前端部が容器本体の空隙部内に回り込むことができるので、鏡に角度をつけて立てることができ、鏡を見ながら化粧をすることができる。
【００１１】
蝶番の形状を、ヒンジ部の水平な座面に接する平面部に続く一方の側に１／４円弧面を具えている形状とした実施形態では、蓋体は前端部を下方に回動することはできても上方に回動することはできないから、不用意に蓋体が上方に開いてパフや筆等が落ちるようなことはない。
また、容器本体に、蓋体前端部の閉め切り突条が嵌入する閉め切り凹部を設けた実施形態では、蓋体の閉蓋状態を維持するとともに容器内部に異物などが混入することを防ぐことができ、さらに、容器本体の側壁に、蓋体の第２ガイド部材の突条が摺動可能かつ分離不能に係合する第２ガイド溝を設けた実施形態では、蓋体がスライドしているときに容器本体とも連結しているので、スライドさせるときに蓋体が浮き上がったり、大きな力が加わっても容器本体から外れたり蝶番が壊れたりすることはない。
【図面の簡単な説明】
【００１２】
【図１】本願発明の鏡付きコンパクト容器の鏡を立てた状態を示す全体斜視図である。
【図２】本願発明の第１実施例の閉蓋状態を示す図で、（ａ）は一部を破断して示した上面図、（ｂ）は断面側面図、（ｃ）は図（ｂ）の要部拡大図である。
【図３】本願発明の第１実施例の容器本体を示す図で，（ａ）は上面図、（ｂ）は断面側面図、（ｃ）は後面図である。
【図４】本願発明の第１実施例の蓋体を示す図で，（ａ）は上面図、（ｂ）は断面側面図、（ｃ）は後面図である。
【図５】本願発明の第１実施例の蝶番を示す図で、（ａ）は上面図、（ｂ）は正面図、（ｃ）は側面図である。
【図６】本願発明の第１実施例の作動状態を説明する側面断面図で、（ａ）は蓋体がスライドを始めた状態を示す図であり、（ｂ）は蓋体が回動して鏡を立てた図である。
【図７】本願発明の第２実施例を示す図で、（ａ）は蝶番付近の断面後面図であり、（ｂ）はその要部拡大図である。
【発明を実施するための形態】
【００１３】
次に、本願発明の鏡付きコンパクト容器について、実施例を示した図面を参照して説明する。
【実施例１】
【００１４】
図１〜６は、本願発明の鏡付きコンパクト容器の第１実施例であり、図中Ａは容器本体、Ｂは蓋体、Ｃは蝶番である。
容器本体Ａと蓋体Ｂは蝶番Ｃを介してスライド可能に連結されており、図１に示すように、外側上面に鏡２０を装着した蓋体Ｂが蝶番Ｃ側にスライドすると容器本体Ａに対して回動可能となり、角度を付けて立てることができるようになっている。
【００１５】
図３に示すように、容器本体Ａは、厚さが薄い略直方体の外形を有し、長手方向の一方にヒンジ１を有するヒンジ部２を具えており、ヒンジ１は軸孔３に挿通された図示しないピンなどの軸部材により蝶番Ｃを同軸に枢着する。
ヒンジ部２のヒンジ１以外の部分には、蝶番Ｃが設置される水平な平面をなした座面４が設けられている。
容器本体Ａの長手方向の他方には、底部５から前壁６が立ち上がっており、前壁６の上部には、後述する蓋体Ｂの閉め切り突条２９が嵌入する閉め切り凹溝７を設けている。
【００１６】
容器本体Ａの前壁６側に、ファンデ−ションやアイカラー等の化粧料、パフや筆等の化粧道具を収納する収納部８が設けられ、収納部８は、前壁６と底部５から両側に立ち上がった側壁９、ヒンジ部２側に立ち上がった後壁１０とによって画成されている。
閉め切り凹溝７の下部溝面１１と側壁９、後壁１０の上端面は同じ高さに設定され、全体として面一の水平面を形成している。
また、収納部８には、必要に応じて仕切壁１２が設けられてよい。
ヒンジ部２と収納部８との間には、底部５だけでつながっている空隙部１３が設けられ、後述するように、蓋体Ｂの前端部２８が回り込む空間が確保されている。
【００１７】
図４に示すように、蓋体Ｂは、上部中央に鏡２０を装着する鏡取付面２１を設け、その長手方向の両側には、第１ガイド溝としての一対の長孔２２が設けられている。
蓋体Ｂは、容器本体Ａを覆うように平面視で容器本体Ａとほぼ同じ長方形をなしており、その周囲には一定高さの周壁が形成され、該周壁は両側面を長手方向に延びる一対の側周壁２３および前周壁２４、後周壁２５からなっている。
長孔２２は、前周壁２４の前方内側面２６から後周壁２５の後方内側面２７まで長手方向に延びている。
【００１８】
蓋体Ｂの長手方向前方の前端部２８の下端には、容器本体Ａの収納部８を覆うことができる幅をもって延びる閉め切り突条２９が設けられ、該閉め切り突条２９は、閉蓋時には容器本体Ａの前壁６の閉め切り凹溝７に嵌入するようになっている。
また、蓋体Ｂの裏側の底面３０は、蝶番Ｃおよび容器本体Ａと摺接する平面を形成するが、図のように必要に応じて鏡取付面２１の裏側の中央付近が肉抜きされた肉抜き凹部３１が形成されてもよい。
【００１９】
図５に示すように、蝶番Ｃは、上部に蓋体Ｂの下面３０に摺接する上平面部４０を形成し、上平面部４０からは蓋体Ｂの長孔２２に摺動可能に係合する一対の第１ガイド部材４１が立ち上がっている。
蝶番Ｃの下方には、容器本体Ａのヒンジ１を嵌合する嵌合凹部４２を中央付近に配し、その両側部には、容器本体Ａのヒンジ１の軸孔３と同軸に連結される軸孔４３を具えた枢動部４４を設けている。
【００２０】
枢動部４４は、容器本体Ａのヒンジ部２の座面４に接する平坦な下平面部４５から一方の側に連続して軸孔４３を中心とする１／４円弧面４６を形成し、他方の側は、容器本体Ａのヒンジ部２とともに本発明の鏡付きコンパクト容器の後面を形成する。
第１ガイド部材４１は、上平面部４０から立ち上がった根本部４７とその上部の頭部４８からなる。
第１ガイド部材４１は、蓋体Ｂの長孔２２が蝶番Ｃの軸心と直交して延びるように蓋体と連結され、根本部４７の軸心方向の幅は、蓋体Ｂの長孔２２の幅と同じか、やや小さく、頭部４８の軸心方向の幅は、長孔２２の幅より大きい。
【００２１】
次に、本実施例の使用態様と作用効果について、図２および図６を参照しながら説明する。
図２に示すように、蓋体Ｂが閉じた状態では、蝶番Ｃの第１ガイド部材４１は長孔２２の後方端部にあって蓋体Ｂの後周壁２５の後方内側面２７に接している。
蓋体Ｂの前端部２８に設けられた閉め切り突条２９は、容器本体Ａの閉め切り凹溝７に嵌入しており、閉め切り凹溝７の下部溝面１１は側壁９、後壁１０の上端面と同じ高さで面一の水平面を形成しているので、収納部８は前壁６，側壁９、後壁１０の各壁面と蓋体Ｂによって密閉され、異物が混入することはない。
【００２２】
次に、図６（ａ）に示すように、蓋体Ｂが閉じた状態から、蓋体Ｂを蝶番Ｃ側へ、すなわち後方へ向けて押圧すると、蝶番Ｃの第１ガイド部材４１が長孔２２を摺動するようになり、蓋体Ｂが容器本体Ａ上を後方へスライドしていく。
そして、第１ガイド部材４１が長孔２２の前方端部側、前方内側面２６付近にくるまで蓋体Ｂが移動して、蓋体Ｂの前端部２８が容器本体Ａの空隙部１３に対応する回動可能位置まできたら、蓋体Ｂの後方を持ち上げるようにすれば、図６（ｂ）に示すように、前端部２８が空隙部１３に回り込み、蝶番Ｃとともに蓋体Ｂが回動して、鏡２０に角度を付けて立ち上げることができる。
【００２３】
このとき、蓋体Ｂが回動可能位置にきたことが操作者に確認できるように、蓋体Ｂが回動可能位置にきたときに第１ガイド部材４１が前方内側面２６に当接するように配置してもよい。
また、蓋体Ｂを回動して鏡２０を立ち上げた状態を維持するために、空隙部１３に隣接して弾性を有するリブやフック、クリック機構などを適宜設けてもよい。
【００２４】
蝶番Ｃの第１ガイド部材４１は、根本部４７の軸心方向の幅が長孔２２の幅と同じか、やや小さく、頭部４８のそれが長孔２２の幅より大きいので、蝶番Ｃと蓋体Ｂは摺動可能かつ分離不能に係合している。
なお、本実施例では、第１ガイド溝として長孔２２を採用したが、本発明の第１ガイド溝は必ずしも貫通した孔である必要はなく、第１ガイド部材４１の形状に対応した底を有する溝形状でもよい。
【００２５】
蝶番Ｃの枢動部４４は、ヒンジ部２の座面４に接する平坦な下平面部４５を有し、その一方の前方側に連続して軸孔４３を中心とする１／４円弧面４６を形成しているので、蝶番Ｃは円弧面４６のある前方にのみ回動可能であり、他方の側、すなわち後方へは回動しない。
したがって、蓋体Ｂは、前記回動可能位置に移動するまでは回動することはないから、蓋体Ｂをスライドさせるために力を加えたときに、不意に蓋体Ｂが開いてパフや筆等が落ちたりすることはない。
【実施例２】
【００２６】
次に、蓋体Ｂが容器本体Ａともスライド可能かつ分離不能に係合するように構成を変更した第２実施例について、図７を参照しながら説明する。
以下、第１実施例と同一の構成部分には同一の符号に添字ａを付し、相違点を中心に説明する
【００２７】
本実施例は、容器本体Ａａと蓋体Ｂａが蝶番Ｃａを介してスライド可能に連結されていることは第１実施例と同じであるが、さらに、蓋体Ｂａが容器本体Ａａに対してスライドしている間、容器本体Ａａともスライド可能かつ分離不能に係合する第２ガイド部を設けたものである。
蓋体Ｂａの両側面を形成する側周壁２３ａの下部には、第２ガイド部材３２が垂下され、下端部にガイド突条３３が内側に向けて突出している。
容器本体Ａａの側壁９と蝶番Ｃａの軸方向両端の側端面４９には、前記ガイド突条３３に係合するそれぞれ第２ガイド溝部１４，５０を具え、蓋体Ｂａを閉じた状態では、容器本体Ａａの第２ガイド溝部１４と蝶番Ｃａの第２ガイド溝部５０とは一直線となって、蓋体Ｂａの前記ガイド突条３３が摺動可能となっている。
【００２８】
第２実施例の使用態様と作用効果について説明すると、蓋体Ｂａが閉じた状態から後方に押圧されて、蝶番Ｃａの第１ガイド部材４１ａが長孔２２ａ内を摺動して蓋体Ｂａがスライドし始めると、蓋体Ｂａの第２ガイド部材３２も同時に容器本体Ａａの第２ガイド溝部１４を摺動し始める。
さらに、蓋体Ｂａが後方にスライドしていくと、第２ガイド部材３２は蝶番Ｃａの第２ガイド部材５０とも係合して摺動するようになり、やがて蓋体Ｂａの前端部２８ａが空隙部１３ａに近づいて、第２ガイド部材３２が空隙部１３ａにくると、容器本体Ａａの第２ガイド溝部１４との係合が解かれ、蝶番Ｃａの第２ガイド溝部５０とのみ係合するようになる。
そして、蓋体Ｂａの前端部２８ａが空隙部１３ａに対応する回動可能位置までくると、蓋体Ｂａを回動して鏡２０ａを角度を付けて立てることができることは、第１実施例と同じである。
【００２９】
このように、第２実施例では、蓋体Ｂａがスライドしている間は容器本体Ａａとも係合しているので、蓋体Ｂａを押圧したときに蝶番Ｃａに無理な力がかかることがなく、安定してスライドさせることができるとともに、蓋体Ｂａが浮き上がったり外れたりすることも防ぐことができる。
なお、本実施例では、蝶番Ｃａの側端面４９にも第２ガイド溝部５０を設けたので、蓋体Ｂａと蝶番Ｃａとがより強固に係合するとともに意匠性にも優れるものであるが、第２ガイド部５０は必ずしも設けなくともよい。
【産業上の利用可能性】
【００３０】
本願発明の鏡付きコンパクト容器は、ファンデ−ションやアイカラー等の化粧料、パフや筆等の化粧道具などを収納する化粧用容器として好適に使用される。
特に、鏡が蓋体の外側上面に装着されているので、単に化粧用容器として使用されるだけでなく、手軽に使える手鏡としても利用することができる。
【符号の説明】
【００３１】
Ａ、Ａａ      容器本体
Ｂ、Ｂａ      蓋体
Ｃ、Ｃａ      蝶番
１、１ａ      ヒンジ
２、２ａ      ヒンジ部
３            軸孔
４、４ａ      座面
５、５ａ      底部
６            前壁
７            閉め切り凹溝
８            収納部
９            側壁
１０          後壁
１１          下部溝面
１２          仕切壁
１３、１３ａ  空隙部
１４          第２ガイド溝部
２０、２０ａ  鏡
２１、２１ａ  鏡取付面
２２、２２ａ  長孔
２３、２３ａ  側周壁
２４          前周壁
２５          後周壁
２６          前方内側面
２７          後方内側面
２８、２８ａ  前端部
２９          閉め切り突条
３０、３０ａ  底面
３１、３１ａ  肉抜き凹部
３２          第２ガイド部材
３３          ガイド突条
４０、４０ａ  上平面部
４１、４１ａ  第１ガイド部材
４２、４２ａ  嵌合凹部
４３          軸孔
４４、４４ａ  枢動部
４５、４５ａ  下平面部
４６          円弧面
４７、４７ａ  根本部
４８、４８ａ  頭部
４９          側端面
５０          第２ガイド溝部
【図１】
0005420446.tif 000002
【図２】
0005420446.tif 000003
【図３】
0005420446.tif 000004
【図４】
0005420446.tif 000005
【図５】
0005420446.tif 000006
【図６】
0005420446.tif 000007
【図７】
0005420446.tif 000008